(57)【要約】      （修正有）【課題】取り出される製品が保持される容器を画定する可撓性の外被を有する袋を提供する。【解決手段】袋６は、外壁を有する基部を備えた先端部１９を備え、上記外壁上には、口２１が気密状に固定されており、上記先端部は、ダクトと、穴と、を備え、上記ダクトは下側開口部と上側開口部の間を延び、上記穴は内側開口部と、上記外壁で開口し、上記口２１によって気密状に覆われている側方開口部との間を延び、上記上側開口部は上記袋６の外で開口し、上記先端部は、キャップ２６を備え、上記キャップ２６は、上記容器と上記穴との連通を維持したまま、上記容器と上記袋の外との連通を密封状態で閉じるように、上記上側開口部に取り付けられることができるように構成されている。【選択図】図１
2014166886.tif 000002
【特許請求の範囲】
【請求項１】
取り出される製品が保持される容器を画定する可撓性の外被を有する袋（６）であって、
外壁を有する基部（２０）を備えた先端部（１９）を備え、
上記外壁上には、上記外被の口（２１）が気密状に固定されており、
上記先端部は、ダクト（２２）と、穴（２４）と、を備え、
上記ダクト（２２）は上記容器の中に配置された下側開口部（２２ａ）と、上側開口部（２２ｂ）との間を延びて上記基部（２０）を貫通し、
上記穴（２４）は、上記基部（２０）内において、上記ダクト（２２）で開口する内側開口部（２４ａ）と、上記基部（２０）の上記外壁で開口し上記口（２０）によって気密状に覆われている側方開口部（２４ｂ）との間を延びるように構成されている袋であって、
上記ダクト（２２）の上記上側開口部（２２ｂ）が上記袋（６）の外で開口し、
上記先端部は、キャップ（２６）を備え、
上記キャップ（２６）は、上記ダクトの上記下側開口部（２２ａ）を介した、上記容器と上記穴（２４）との連通を維持したまま、上記上側開口部を介した、上記容器と上記袋の外との連通を密封状態で閉じるように、上記上側開口部に取り付けることができるように構成されていることを特徴とする袋。
【請求項２】
上記キャップ（２６）は、上記容器と上記袋の外とを連通した状態にする高位置と、上記上側開口部（２２ｂ）を閉じて密封状態にする低位置との間を移動できるように、上記ダクト（２２）の上記上側開口部（２２ｂ）に取り付けられていることを特徴とする請求項１に記載の袋（６）。
【請求項３】
上記キャップ（２６）が、上記ダクト（２２）の上方部（２３）に、摺動可能に取り付けられていることを特徴とする請求項２に記載の袋。
【請求項４】
上記穴（２４）は、上記ダクト（２２）の中の少なくとも一部にまで延びている周壁（３２）の内側に形成されており、上記周壁は、上記上方部（２３）において、上記キャップ（２６）の摺動による移動を制限するストッパーを形成していることを特徴とする請求項３に記載の袋。
【請求項５】
上記キャップ（２６）は、下面を有し、
上記下面は、上記キャップ（２６）が高位置にあるとき、上記上方部（２３）内にあり、上記下面と上記上方部との間を連通させる通路（２７）を形成することを特徴とする請求項３または４に記載の袋。
【請求項６】
上記キャップ（２６）の上記下面は下部リング（３０）を有し、
上記下部リング（３０）は、上記キャップを高位置で維持させるために、上記上方部（２３）における干渉部として設けられており、上記下部リングは、連通用の上記通路（２７）を形成するために断続的になっていることを特徴とする請求項５に記載の袋。
【請求項７】
上記上側開口部（２２ｂ）は、内側に玉部（３１）を有し、
上記玉部の下では上記下部リング（３０）が上記上方部（２３）内で摺動できるように取り付けられていることを特徴とする請求項６に記載の袋。
【請求項８】
上記キャップ（２６）はヘッド（２８）を有し、
上記ヘッド（２８）は、低位置にあるときは、上記上側開口部（２２ｂ）と密封状態で係合していることを特徴とする請求項２〜７のいずれか１項に記載の袋。
【請求項９】
上記上側開口部（２２ｂ）は、内側に溝部（３３）を有し、
上記ヘッド（２８）が低位置にあるときは、上記ヘッド（２８）は上記溝部と係合し、密封状態になることを特徴とする請求項８に記載の袋。
【請求項１０】
上記先端部（１９）は、上記ダクト（２２）の両側に、それぞれ１つずつ突起（３５）を有し、上記突起は、上記口（２１）の外側に延びることで、上記袋（６）を手でつかむ手段を形成していることを特徴とする請求項１〜９のいずれか１項に記載の袋。
【請求項１１】
請求項２〜１０のいずれか１項に記載の袋（６）の容器内に製品を詰める方法であって、
上記キャップ（２６）を高位置にした状態で、上記ダクト（２２）の上記上側開口部（２２ｂ）と、上記容器の空気の吸引と上記ダクト（２２）を介した上記容器への製品の注入とを連続的に行うノズル（３６）とを気密状に接続する工程と、
その後、上記ノズル（３６）との接続を終了する前に、上記キャップ（２６）を低位置に移動させ、上記容器を密封状態で閉じる工程を含むことを特徴とする方法。
【請求項１２】
上記ノズル（３６）が、ピストン（３８）と一体化しており、
上記ピストン（３８）は、充填終了時に、上記キャップ（２６）を押し下げ、低位置に移動させることを特徴とする請求項１１に記載の方法。
【請求項１３】
上記キャップ（２６）が、上記容器を密封状態で閉じるよう上記ダクト（２２）の上記上側開口部（２２ｂ）に取り付けられている請求項１〜１０のいずれか１項に記載の袋（６）の容器内で保持された製品のディスペンサーであって、
上記袋（６）を設置するための筐体（３）を有するケース（１）と、
上記保持された製品の取り出し装置と、を備え、
上記取り出し装置は、上記穴（２４）を介して上記取り出し装置と上記容器とを連通させるために、上記穴に挿入することを目的としたニップル（４１）を備え、
上記ニップルは、上記穴（２４）への挿入時に、上記口（２１）に穴を開けることができるよう構成されていることを特徴とするディスペンサー。
【請求項１４】
上記取り出し装置は、ポンプ室（１０）を有したポンプを備えており、
上記ポンプ室（１０）は、上記ケース（１）のアクセス窓（８）内に配置された取り出し領域（７）を手で押すことによって自在に変形することを特徴とする請求項１３に記載のディスペンサー。
【請求項１５】
上記取り出し領域（７）には、取り出し口（１３）が設けられた変形自在壁（１１）が設けられており、
上記ポンプ室（１０）は、上記変形自在壁（１１）と補強材（１４）との間に設けられ、
上記補強材（１４）は、上記ポンプ室（１０）に製品を供給するための供給口（１２）を有し、
上記取り出し口（１３）には流出弁が設けられており、上記供給口（１２）には流入弁が設けられており、
上記流出弁と上記流入弁とは、上記ポンプ室（１０）が変形することによって上記取り出し口（１３）を介して上記製品を取り出すことができ、変形した上記ポンプ室（１０）が変形前の形状に戻ることによって上記供給口（１２）を介して上記ポンプ室（１０）への供給を行うことができるように構成されていることを特徴とする請求項１４に記載のディスペンサー。
【請求項１６】
上記補強材（１４）は、上記供給口（１２）を形成する孔を有する上記ニップル（４１）を備えていることを特徴とする請求項１５に記載のディスペンサー。
【発明の詳細な説明】
【技術分野】
【０００１】
本発明は、（１）取り出される製品が保持される容器を画定する可撓性の外被を有する袋、（２）その様な袋の容器内で製品を保持する方法、および（３）ケースと、取り出される製品が保持される上記袋とを備えた製品のディスペンサーに関する。
【０００２】
具体的に、上記製品は、特に美容または製薬に使用される液体状、クリーム状、ペースト状等の流動体であってもよく、あるいは、詰まっていない状態または詰まった状態の粉末状であってもよい。
【背景技術】
【０００３】
特に文献ＷＯ２０１１/１４４８４０に記載のように、特に、製品を入れる可撓性の袋を保護するために、かつ/または、上記可撓性の袋の見た目を良くするために、上記可撓性の袋が、ケースに設けられた筐体内に配置される装置が知られている。具体的には、上記ケースは、窓を有する。上記窓内にて、取り出し領域にアクセス可能であり、アクセスすることによって、特に手で圧力をかけることで上記製品を取り出すことができる。
【０００４】
上記製品の取り出しは、取り出し口を有するポンプ室を備えたポンプを用いて行ってもよく、上記ポンプ室を手動で自在に変形することによって、上記ポンプを動かす。具体的には、上記取り出し領域は、上記製品を取り出すために上記取り出し領域にそって指をスライド可能にする十分に拡張された面を有してもよい。
【０００５】
十分に補充可能なように構成された装置の利点を活かすために、袋は、上記ケースの上記筐体内にて可逆的に搭載できるように構成されていることが望ましい。実際、上記袋が空になると、上記ケースを交換することなく、上記袋を補充済みの袋と取り替えることができる。
【０００６】
文献ＷＯ２０１１／１４４８４０には、外壁を有する基部を備えた先端部を有し、上記外壁上に外被の口が気密状に固定されている袋が記載されている。上記先端部は、容器の内部に設けられた下側開口部と、貫通していない上側開口部との間を延びて上記基部を貫通するダクトを有している。
【０００７】
容器と取り出し用ポンプとの連通を可能にするために、上記先端部は、上記基部内において、ダクトで開口する内側開口部と、上記基部の外壁で開口する側方開口部との間を延びる穴も備えている。
【０００８】
このため、上記側方開口部を上記口で気密状に覆うことにより、（ｉ）製品の漏出および／または汚染のリスクを防止するために、上記袋内を密封した状態で製品の保持を行うこと、それに引き続き、（ｉｉ）上記口に穴を開けるためのニップルを備えた取り出し装置を設けることで、上記穴内に上記ニップルを挿入して上記容器と上記装置とを連通させること、が可能になる。
【発明の概要】
【発明が解決しようとする課題】
【０００９】
しかし、従来技術が提案する袋では、容器内の製品の保持という点からは、完全に満足を得ることができない。特に、口から容器内に製品を注入することと、上記口に先端部を固定させることを工業レベルで連続的に行うには制限がある。さらに、空気を混入させることなく上記袋内の製品を保持するためには、製品の充填に先がけ容器内を真空にするために、上記袋を真空ベルジャーに配置する必要がある。
【００１０】
本発明は、特に、容器内で容易に製品を保持することを可能とする、とりわけ空気の混入なく製品を保持することを可能とする先端部であって、後に、上記容器と、上記保持された製品の取り出し装置との連通を可能とする先端部を備えた袋を提案することにより従来技術を改良することを目的とするものである。
【課題を解決するための手段】
【００１１】
したがって、第１の態様によれば、本発明は、取り出される製品が保持される容器を画定する可撓性外被を有する袋を提案する。上記袋は、外壁を有する基部を備えた先端部を備え、上記外壁上には、上記外被の口が気密状に固定されており、上記先端部は、ダクトと、穴と、を備え、上記ダクトは上記容器の中に配置された下側開口部と、上側開口部との間を延びて上記基部を貫通し、上記穴は上記基部内において、上記ダクトで開口する内側開口部と、上記基部の上記外壁で開口し上記口によって気密状に覆われている側方開口部との間を延びるよう構成されており、上記ダクトの上記上側開口部は上記袋の外で開口し、上記先端部は、キャップを備え、上記キャップは、上記ダクトの上記下側開口部を介した、上記容器と上記穴との連通を維持したまま、上記上側開口部を介した、上記容器と上記袋の外との連通を密封状態で閉じるように、上記上側開口部に取り付けることができるように構成されている。
【００１２】
具体的には、上記キャップは、上記容器と上記袋の外とを連通した状態にする高位置と、上記上側開口部を閉じて密封状態にする低位置との間を移動できるように、上記ダクトの上記上側開口部に取り付けられている。
【００１３】
第２の様態によれば、本発明は、上記袋の容器内に製品を詰める方法を提案する。上記方法は、上記キャップを高位置にした状態で、上記ダクトの上記上側開口部と、上記容器の空気の吸引と上記ダクトを介した上記容器への製品の注入とを連続的に行うノズルとを気密状に接続する工程と、その後、上記ノズルとの接続を終了する前に、上記キャップを低位置に移動させ、上記容器を密封状態で閉じる工程を含む。
【００１４】
第３の様態によれば、本発明は、上記キャップが容器を密封状態で閉じるよう上記ダクトの上記上側開口部に取り付けられている上記容器内で保持された製品のディスペンサーを提案する。上記ディスペンサーは、上記袋を設置するための筐体を有するケースと、上記保持された製品の取り出し装置と、を備え、上記取り出し装置は、上記穴を介して上記取り出し装置と上記容器とを連通させるために、上記穴に挿入することを目的としたニップルを備え、上記ニップルは、上記穴への挿入時に、上記口に穴を開けることができるよう構成されている。
【００１５】
本発明の他の目的や利点は、以下の添付図を参照して、以下に記載されるであろう。
【図面の簡単な説明】
【００１６】
【図１】本発明の一実施形態に係る袋の斜視図である。
【図２ａ】図２は、キャップが外された状態の、図１に示す先端部の図であり、図２ａは、正面斜視図である。
【図２ｂ】図２ｂは、キャップが外された状態の、図１に示す先端部の背面斜視図である。
【図２ｃ】図２ｃは、キャップが外された状態の、図１に示す先端部の長辺方向に沿った断面図である。
【図３】図１の袋において、キャップが開いた状態となる高位置にあるときの、長辺方向に沿った断面図である。
【図３ａ】図３ａは、キャップの組み立て状態をより詳細に示した、上記キャップの拡大図である。
【図４】図１の袋の袋において、キャップが閉じた状態となる低位置にあるときの、長辺方向に沿った断面図である。
【図４ａ】図４ａは、キャップの組み立て状態をより詳細に示した、上記キャップの拡大図である。
【図５ａ】図５ａ〜図５ｊは、図１の袋内に製品を詰めるための方法の工程を連続的に示した概略図である。
【図５ｂ】図５ａ〜図５ｊは、図１の袋内に製品を詰めるための方法の工程を連続的に示した概略図である。
【図５ｃ】図５ａ〜図５ｊは、図１の袋内に製品を詰めるための方法の工程を連続的に示した概略図である。
【図５ｄ】図５ａ〜図５ｊは、図１の袋内に製品を詰めるための方法の工程を連続的に示した概略図である。
【図５ｅ】図５ａ〜図５ｊは、図１の袋内に製品を詰めるための方法の工程を連続的に示した概略図である。
【図５ｆ】図５ａ〜図５ｊは、図１の袋内に製品を詰めるための方法の工程を連続的に示した概略図である。
【図５ｇ】図５ａ〜図５ｊは、図１の袋内に製品を詰めるための方法の工程を連続的に示した概略図である。
【図５ｈ】図５ａ〜図５ｊは、図１の袋内に製品を詰めるための方法の工程を連続的に示した概略図である。
【図５ｉ】図５ａ〜図５ｊは、図１の袋内に製品を詰めるための方法の工程を連続的に示した概略図である。
【図５ｊ】図５ａ〜図５ｊは、図１の袋内に製品を詰めるための方法の工程を連続的に示した概略図である。
【図６】本発明の一実施形態に係るディスペンサーの上面斜視図であり、上記ディスペンサーにはカセットが搭載されており、カバーが開いた状態を示している。
【図７】図１に示された上記ディスペンサーの下面斜視図であり、上記ディスペンサーの基部が開いた状態でかつ袋が搭載されていない状態を示している。
【図８ａ】図６に示された上記ディスペンサーの、長辺方向に沿った断面図を示す。
【図８ｂ】図６に示された上記ディスペンサーの、短辺方向に沿った断面図を示す。
【図９】図６に示された上記ディスペンサーの部品の分解図である。
【発明を実施するための形態】
【００１７】
以下、流体物（流体製品）を含有し、含有した流体物を取り出すディスペンサーについて記載する。具体例において、上記流体物は、特に美容あるいは製薬に使用される液体状、クリーム状またはペースト状であってもよく、あるいは、詰まっていない状態のまたは詰まった状態の粉末状であってもよい。
【００１８】
上記ディスペンサーは、ケース１と、容器を有するカセット２とを備える。上記容器内にて、取り出される上記流体物が保持される。上記ディスペンサーは、上記ケース１の本体に設けられた筐体３内に上記カセット２を配置するように構成されている。具体的には、上記カセット２を取り外し、上記ケース１を取り替えることなく空のカセット２を流体物補充済みのカセット２に取り替えることによって、補充可能な装置の構成の利点を活かすようにすることができる。
【００１９】
上記ケース１は、プラスチックや金属材などの強固な材質でできており、化粧品売り場で一般的に見られる、楕円形、円形、正方形または長方形の形状を有した、とりわけ比較的平らな形状を有している。一実施形態によれば、上記ケース１は、美観を保つために、被覆されていてもよい。図示された上記実施形態においては、上記ケース１は、矩形で水平な上壁４を有している。上記上壁４からは、周壁５が鉛直下方に伸びている。上記周壁５は、上記筐体３の４つの側面の範囲を横方向に画定する。
【００２０】
上記カセット２は、袋６と、保持されている流体物を取り出し領域７を介して取り出す取り出し装置とを備えており、上記袋６内にて、取り出される流体物が密閉状態で保持される。具体的には、上記袋６は、具体的にはポリオレフィン系の可撓性外被を備えている。上記可撓性外被は、上記流体物の保持用容器を画定する。上記袋６の可撓性によって、筐体３の体積と最大限に適合して上記カセット２の容量を最大にできる。
【００２１】
ユーザが上記カセット２の上記取り出し領域７にアクセスできるように、上記ケース１の上記上壁４は窓８を有する。上記窓８内には、上記取り出し領域７が配置される。ユーザがアクセス可能でありかつ拡張された上記取り出し領域７の利点を活かすために、具体的には、上記取り出し領域７と上記窓８とは、上記上壁４の大きさに対して、十分に大きいものであり、具体的には、上記上壁４の面積の５０％、さらには７０％以上の面積を有する。
【００２２】
上記取り出し領域７とアクセス窓（上記窓）８とは、同じ形状であってもよく、特に、上記取り出し領域７が上記窓８にぴったりと収まるように同様の大きさであってもよい。そのため、上記上壁４と上記筐体３とは、上部にて上記取り出し領域７を介して閉じられることになる。具体的には、上記取り出し領域７は、比較的平坦であり、上記アクセス窓８を介して上記上壁４と同一平面にある。
【００２３】
図示された実施形態において、上記アクセス窓８は、上記上壁４の形状と相似した矩形形状である。上記上壁４は、上記窓８の外形を画定する内側端部を有しており、上記内側端部は、外側において上記周壁５と接続している。
【００２４】
上記ケース１は、前後の使用の間上記取り出し領域７を覆うように構成されたカバー９を備えている。具体的には、上記カバー９は、ユーザが上記取り出し領域７にアクセスできる開位置と、前後の使用の間上記取り出し領域を保護する閉位置との間を回転可能なように、上記周壁５の片側に連結されていてもよい。また、上記カバー９には、バニティミラーが備えられていてもよい。
【００２５】
図示された上記取り出し装置は、上記取り出し領域７を手で押圧することによって自在に（柔軟に）変形するポンプ室１０を有したポンプを備えている。より厳密には、上記取り出し領域７は、上記ポンプ室１０を画定する変形自在壁１１を有している。上記変形自在壁１１は、ポリオレフィン類の形状記憶材またはエラストマー材料でできていてもよい。
【００２６】
上記ディスペンサーの操作に関して好ましくは、上記取り出し領域７は、上部の加圧領域７ａを有している。上記加圧領域７ａは、その両側を上記ポンプ室１０の供給口１２と、上記流体物の取り出し口１３とによって境された拡張形状である。そのため、上記供給口１２の近傍から上記取り出し口１３の方向に上記ポンプ室１０に対して加える圧迫を平行移動させることができる。また、上記ポンプ室１０が作動する一連の動きにおいてユーザの指に上記流体物を集められるように、上記取り出し口１３は、上記加圧領域７ａの延設部分に形成されていてもよい。
【００２７】
図示された実施形態において、上記変形自在壁１１には、上記取り出し口１３が設けられており、上記ポンプ室１０は、上記変形自在壁１１と、上記袋６上に設けられた補強材１４との間に設けられる。具体的には、上記補強材１４は、上記袋６と上記変形自在壁１１との間に設けられており、硬質プラスチック材を型に入れて作られる。
【００２８】
上記補強材１４は、上記ポンプ室１０へ流体物を供給するための上記供給口１２を有している。上記取り出し口１３には、流体物の流出弁が設けられており、上記供給口１２には、流入弁が設けられている。上記流出弁は、上記ポンプ室１０が変形することによって、上記取り出し口１３を介して上記流体物を取り出すことができるように構成されており、一方、上記流入弁は、変形した上記ポンプ室１０が変形前の形状に戻ることによって、上記供給口１２を介して上記ポンプ室１０への供給を行うことができるように構成されている。
【００２９】
具体的には、上記ポンプ室１０を変形させることによって、上記ポンプ室１０に含有された上記流体物に圧力を加えることができ、上記圧力を加えることによって、上記流入弁が閉じかつ上記流出弁が開き、一方、変形した上記ポンプ室１０が変形前の形状に戻ることによって生じる吸引力によって、上記流入弁が開きかつ上記流出弁が閉じる。
【００３０】
図示された実施形態において、上記変形自在壁１１を変位させて上記補強材１４と接触させるために、上記変形自在壁１１に対する押圧はとりわけ垂直に加えられる。また、上記加圧領域７ａの上流端部、つまり、上記供給口１２の近傍の領域をユーザの指で圧迫することによって上記流入弁が閉じられ、上記ポンプ室１０に対して上記取り出し口１３の方向に上記圧迫を平行移動させることによって上記流出弁が開き、上記ポンプ室１０の中身が出る。
【００３１】
特に、本実施形態は、上記補強材１４が案内インプリント１５を有する場合に、好ましい。具体的に、上記案内インプリント１５は、ユーザの指の幅とほぼ同じ幅の凹みとして形成されたものであり、上記加圧領域７ａに向かうように配置される。実際、上記変形自在壁１１を押圧することによって上記案内インプリント１５を塞ぐことは、上記平行移動中に上記ポンプ室１０を空にしやすくするために、好ましい。さらに、ユーザの指による圧迫が上記流出弁と上記流入弁とにかかることを防ぐため、上記供給口１２と上記取り出し口１３とは、上記案内インプリント１５の外側に設けられる。
【００３２】
好ましくは、上記取り出し装置は、上記保持されている流体物に空気が取り込まれることなく、汲み上げ動作を行うことができるように構成されている。つまり、上記保持されている流体物の取り出し中に、取り出された流体物の代わりに、空気が上記袋６の容器の中に入ることはない。上記袋６の上記可撓性外被の可撓性によって、上記保持されている流体物が取り出されるにつれて、保持する体積は減っていく。
【００３３】
図示された実施形態において、上記流入弁は、上記ポンプ室１０が変形している間上記供給口１２の方に押しつけられるように構成された可撓性リップ１６から形成されている。具体的には、上記可撓性リップ１６は、上記変形自在壁１１の下にて一体形成されており、上記ポンプ室１０の方に傾いて上記供給口１２に当接している。上記可撓性リップ１６は、上記ポンプ室１０内の上記流体物を加圧することによって押しつけられる押しつけ上面を有し、上記袋６内にて保持された上記流体物が吸引されることによって上記可撓性リップ１６は、上記供給口１２から起き上がることができる。
【００３４】
一方、上記流出弁は、上記取り出し口１３の封止用パンチ１７を備えている。上記封止用パンチ１７は、上記ポンプ室１０が変形している間、可逆的に変位しうる。具体的には、上記ポンプ室１０からの上記流体物が可撓性カラー１８にかける圧力によって上記取り出し口１３の外側へ上記封止用パンチ１７が可逆的に変位するように、上記可撓性カラー１８を介して封止された状態で上記封止用パンチ１７が載せられる表面を、上記補強材１４は有している。
【００３５】
袋６は先端部１９を備えている。先端部１９は、プラスチック材料などを成形することで作成され、外壁を有する基部２０を備えている。上記外壁上には、上記外被の口２１が密着（具体的には溶着）して固定されている。より正確には、基部２０の上記外壁は、上面と、平行に溝が入った湾曲した下面と、を有する。口２１は、外被の上端部及び下端部の間に形成され、上記上端部および下端部はそれぞれ、上記上面および下面を覆い、また上記上面および下面上に固定されている。
【００３６】
先端部１９は、ダクト２２を有している。上記ダクト２２は、容器の中に配置された下側開口部２２ａと、上側開口部２２ｂの間を延び、基部２０を貫通する。図示された実施形態においては、上記ダクト２２は、上記下側開口部２２ａが基部２０の下方に配置された状態で、上記上側開口部２２ｂが上記袋６の外で開口するよう上記基部２０から突出した上方部２３を有している。このため、上記ダクト２２は上記袋６の外と容器の間との連通を可能としている。
【００３７】
先端部１９はまた、穴２４を有する。上記穴２４は、上記基部２０内において、上記ダクト２２で開口する内側開口部２４ａと、上記基部２０の外壁の上面で開口する側方開口部２４ｂの間で延びている。上記側方開口部２４ｂは、上記口２１の上端部によって気密状に覆われる。具体的には、側方開口部２４ｂは、基部２０の上面の、弓形に湾曲した中央部に形成される。
【００３８】
図示された実施形態においては、上記ダクト２２及び上記穴２４はＴ型に接続されている。上記ダクト２２の上記上方部２３および下方部２５は、縦に延びる穴２４の両側に水平になるように延びている。具体的には、上記穴２４は、上記ダクト２２の上記下方部２５を介して容器と連通するように上記ダクト２２に向かって開口する。
【００３９】
先端部１９は、キャップ２６を備えている。上記キャップ２６は、上記ダクトの上記下側開口部２２ａを介した上記容器と上記穴２４との連通を維持したまま、上記上側開口部を介した上記容器と上記外との連通を密封状態で閉じるように、上記上側開口部２２ｂに取り付けられることができるように構成されている。
【００４０】
このため、ディスペンサーを組み立てる前に、上記ダクト２２を介して製品を上記袋６に注入することができ、上記容器を密封するために、製品の充填後、上記上側開口部２２ｂに上記キャップ２６が取り付けられる。
【００４１】
具体的には、製品の保持後、容器は、一方では上記キャップ２６によって密封され、他方では上記口２１により上記穴２４の上記側方開口部２４ｂが覆われることで密封される。このため、上記袋６内で容易に製品を保持し、その後上記袋を密封できることで、上記取り出し装置に設置される前の保存及び輸送が可能になる。
【００４２】
図示された実施形態において、上記キャップ２６は、容器と外とを連通した状態にする高位置（図３）と、上記上側開口部２２ｂを閉じて密封状態にする低位置（図４）との間を移動できるように上記上側開口部２２ｂに搭載されている。
【００４３】
上記キャップ２６は、好ましくは上記キャップ２６が上記ダクト２２の上記上方部２３に摺動可能に取り付けられている。上記キャップは、下面と、ヘッド２８とを備え、上記下面は、上記キャップが高位置にあるとき、上記上方部２３内にあり、上記下面と上記上方部との間を連通させる通路２７を形成するよう取り付けられている。上記ヘッドは、低位置において、上記上側開口部２２ｂと密封状態で係合する。
【００４４】
図示されたキャップ２６は、上記ヘッド２８を形成する円盤と、上記円盤の下から延びる、十字状に設けられた４つの仕切り２９を備え、上記仕切りの下端は、上記上方部２３において摺動可能に取り付けられることによって上記下面を形成する。さらに、上記複数の仕切り２９の下端には、下部リング３０を形成する突起が設けられている。上記リング３０は、上記キャップ２６を高位置で維持させるために、上記上方部２３における干渉部として設けられている。
【００４５】
具体的には、上記リング３０は、高位置にあるときの上記キャップ２６と、上記ダクト２２との間が連通するための上記通路２７を形成するために、断続的になっている。さらに、上記ダクト２２上から上記キャップ２６が外れないように、上記上側開口部２２ｂは、内側に玉部３１を有しており、上記玉部３１の下では、上記リング３０が上記上方部２３内で摺動できるように設けられている。
【００４６】
図示された実施形態において、上記穴２４は、上記ダクト２２の少なくとも一部まで延びている周壁３２の内部に形成されており、上記周壁は、上記上方部２３内での上記キャップ２６の摺動による移動を制限するストッパーを形成している。よって、上記キャップ２６が低位置あっても、上記ダクト２２の上記下側開口部２２ａを介した、上記容器と上記穴２４との連通は維持できるようになっている。具体的には、上記穴２４は、上記ダクト２２の通路の断面を減少させる形で、上記下方部２５の中に横向きに開口している。
【００４７】
さらに、上記上側開口部２２ｂの内側に溝部３３を備えることで、低位置において上記ヘッド２８と上記溝部３３とが密封状態で係合されるように構成することで、低位置にある上記キャップ２６により上記ダクト２２を閉じて密封状態にすることを確実に行うことができる。図中、上記溝部３３の底側は、上記玉部３１で縁取られている。また、上記溝部３３は、上記ヘッド２８が上記溝部３３においてスナップフィットにより確実に密封するために、挿入収縮部３４を備える。
【００４８】
上記先端部１９は、好ましくは上記ダクト２２の上記上方部２３の両側に、それぞれ一つずつ突起３５を有している。上記突起は口２１の内部へ延びることで、上記袋６を手でつかむ手段を形成し、上記袋６の取り付けおよび上記筐体３からの取り外しを容易にする。具体的には、上記突起３５は指でつまむことができるよう構成されており、上記窓８に上記取り出し領域７を配置することによって、上記袋６を上記筐体３に移動させることができる。
【００４９】
以下では、図５を参照しながら、機械を用いて袋６の容器に製品を詰める方法を説明する。上記機械は、２つのピストン３７、３８を一体化させたノズル３６と、製品注入口３９と、排気口４０とを備え、高速で製品を詰めることができる。
【００５０】
上記方法は、上記ダクト２２の上記上側開口部２２ｂにおいて、上記キャップ２６を高位置にしておき（図５ａ）、上記ノズル３６と上記上側開口部とを気密状に接続する（図５ｂ）。すると、上記ノズル３６の上記排気口４０により、上記ダクト２２を介して上記容器内の空気を吸引することが可能になり（図５ｃ）、空気を混入させることなく、上記容器内に製品を詰めることができる。
【００５１】
上記容器内の空気が排気されて容器が空になるとすぐに、上記ピストン３７が作動し、上記製品注入口３９を開く（図５ｄ）。そして、上記ダクト２２と、高位置にある上記キャップ２６との間に形成された上記通路２７を介して、充填状態（図５ｆ）になるまで、製品を容器に注入する（図５ｅ）。その後上記ピストン３７が作動し、上記製品注入口３９を閉じる（図５ｇ）。
【００５２】
上記方法は、上記ノズル３６との接続を終了する前に、上記キャップ２６を低位置へ移動させ、上記容器を密封状態で閉じる。これを行うため、もう一方のピストン３８が作動し、充填終了時に上記キャップ２６の上記ヘッド２８を押し下げ、上記キャップ２６を低位置へ移動させる（図５ｈ）。その後、上記ピストン３８は停止位置（図５ｉ）に戻り、その後上記ノズル３６は上記ダクト２２と離れ、接続が終了する。
【００５３】
このようにして、袋６が得られる。得られた袋６においては、上記上側開口部２２ｂにおいて低位置に搭載されている上記キャップ２６により容器が密封状態で閉じられることで、取り出される製品が密封状態で保持されている。さらに、上記口２１が上記穴２４を覆うことにより、密封状態を保証する。上記穴を介して、後に、保持されている製品を取り出し装置へ供給することが可能である。
【００５４】
保持されている製品を取り出し装置へ連通させるために、上記取り出し装置は、ニップル４１を備えている。上記ニップル４１は、上記穴を介して上記取り出し装置と容器とを連通させるために、上記穴２４に挿入されることを目的としている。上記ニップルは上記穴２４への挿入時に、上記口２１に穴を開けることができるよう構成されている。
【００５５】
図示された実施形態において、上記補強材１４は、補強材１４と一体に形成された上記ニップル４１を有する。上記ニップル４１は、上記供給口１２が上記袋６内に保持されている上記流体物と密閉状態で通ずるように、上記穴２４に挿入されるように構成されている。図示された実施形態において、上記ニップル４１は、上記ポンプ室１０の上記供給口１２となる孔を有する。また、上記ニップル４１は、上記穴２４にぴったり挿入可能な寸法である。上記穴２４は、内側に密閉用玉部４２を有する。
【００５６】
具体的には、上記ニップル４１は、上記袋６の上記可撓性外被に穴を開けることが可能な刃先を備えていてもよい。このように、上記取り出し装置を上記袋６上に取り付けた後、上記取り出し装置の上記取り出し領域７を有した上記カセット２を、上記ケース１の上記筐体３に搭載することができ、充填用としても搭載することが可能である。または、上記袋６は、上記取り出し装置に設けられた上記ケース１の上記筐体３に搭載することができ、上記袋を上記筐体３に取り付けた後、上記可撓性外被に穴を開けることができる。
【００５７】
上記ディスペンサーは、好ましくは上記取り出し領域７が上記窓８内に位置するように上記筐体３に搭載された上記カセット２の可逆的固定機構を有している。具体的に、上記可逆的固定機構のおかげで、特に上記取り出し領域７に加えられる圧迫に対して、上記筐体３内での上記カセット２の位置を特にしっかりと固定でき、また、上記カセット２を簡単に取り付け/取り外しできる。
【００５８】
上記可逆的固定機構は、上記動作を行うために、垂直に保持されることによって、上記筐体３内にて水平移動する枠４３を有している。上記枠４３と上記カセット２とにはそれぞれ、相補的手段が備えられており、上記相補的手段は、上記枠４３の第１の位置において、上記取り出し領域７が上記窓８に位置するように上記カセット２を上記筐体３内に搭載することができ、上記枠４３の第２の位置において、上記筐体３内にて上記カセット２の位置を固定することができるように構成されている。
【００５９】
具体的に、上記カセット２は、上記取り出し領域７が上記窓８に位置するように、上記筐体３内へ垂直に下ろされ、取り付けられる。その後、上記枠４３を上記第２の位置に移動することによって、上記窓８内での上記取り出し領域７の配置に影響を与えるように上記カセット２を移動させることなく、上記カセット２の位置を固定することができる。
【００６０】
図示された上記ケース１は、基部４４を有している。上記基部４４は、ユーザが上記筐体３にアクセス可能な開位置と閉位置との間で軸４５を中心に回転するように、上記ケース１の上記本体の上記周壁５の片側に、具体的には、上記カバー９の連結側と同じ側で連結されている。上記閉位置においては、上記基部４４は、上記筐体３の下壁となる。そのため、上記ディスペンサーの使用時に上記基部４４が位置する上記閉位置においては、上記筐体３と上記カセット２とを保護しかつ美観も保つために、上記筐体３と上記カセット２とは外部から遮断されている。
【００６１】
上述の役割を果たすために、上記基部４４は、上記ケース１の上記本体の上記上壁４の形状と相似した形状の下壁４４ａを有している。上記下壁４４ａは、２つの短辺端部を有しており、上記２つの短辺端部のうち一方は、上記本体に連結されており、他方には、上記基部４４を上記閉位置にて固定する固定用突起部４６が設けられている。
【００６２】
補充動作に関して好ましくは、上記可逆的固定機構は、上記枠４３を移動する装置を備えている。上記装置は、上記枠４３と上記基部４４との上に設けられた相補的手段を有している。上記相補的手段は、上記基部４４を閉めることによって、上記枠４３が上記第１の位置から上記第２の位置に移動するように、構成されている。そのため、上記基部４４を上記開位置に位置させることによって、上記筐体３内に上記カセット２を搭載することができ、上記筐体内に搭載された上記カセット２は、単に、上記基部４４を閉めることによって、固定される。
【００６３】
上記枠４３を移動する上記装置は、上記基部４４を開けることによって上記枠４３が上記第２の位置から上記第１の位置に移動するように構成された相補的手段を、さらに備えてもよい。そうすることで、単に上記基部４４を開けることによって、上記カセット２を解除し、取り替えることができる。
【図１】
2014166886.tif 000003
【図２ａ】
2014166886.tif 000004
【図２ｂ】
2014166886.tif 000005
【図２ｃ】
2014166886.tif 000006
【図３】
2014166886.tif 000007
【図３ａ】
2014166886.tif 000008
【図４】
2014166886.tif 000009
【図４ａ】
2014166886.tif 000010
【図５ａ】
2014166886.tif 000011
【図５ｂ】
2014166886.tif 000012
【図５ｃ】
2014166886.tif 000013
【図５ｄ】
2014166886.tif 000014
【図５ｅ】
2014166886.tif 000015
【図５ｆ】
2014166886.tif 000016
【図５ｇ】
2014166886.tif 000017
【図５ｈ】
2014166886.tif 000018
【図５ｉ】
2014166886.tif 000019
【図５ｊ】
2014166886.tif 000020
【図６】
2014166886.tif 000021
【図７】
2014166886.tif 000022
【図８ａ】
2014166886.tif 000023
【図８ｂ】
2014166886.tif 000024
【図９】
2014166886.tif 000025
【外国語明細書】
2014166886000001.pdf